(57)【要約】【課題】  シートにたるみを生じさせることなくカール矯正動作を解除することができ、待機カールの発生やシートの巻き緩みを無くすことができるシート搬送装置および画像形成装置を提供する。【解決手段】  シートを巻戻すための巻戻し手段２６と、シートをデカールローラ３３に押付ける矯正位置とシートから退避した矯正解除位置に移動可能な押付け部材３１を有するカール矯正機構３０とを備える。押付け部材を矯正位置から矯正解除位置へ移動させるとき、シートの巻戻し開始タイミングが押付け部材の移動開始タイミングと同じもしくはそれより早くなるように制御する。これと平行して、シートの巻戻し速度Ｖｒがシートの搬送路長の減少速度Ｖｓと同じもしくはそれより速くなるように制御する。【選択図】  図３
2010100406.tif 000002
【特許請求の範囲】
【請求項１】
シートを搬送上流へ巻戻すための巻戻し手段と、
シートをデカールローラに対しカールの逆方向から押付け可能であり押付け位置と押付け解除位置に移動可能な押付け部材を有するカール矯正機構と、
前記押付け部材を押付け位置から押付け解除位置へ移動させるとき、前記巻戻し手段によるシートの巻戻し開始タイミングが前記押付け部材の移動開始タイミングと同じもしくはそれより早くなり、前記巻戻し手段による巻戻し速度が前記押付け部材の移動によるシートの搬送路長の減少速度と同じもしくはそれより速くなるように、前記巻戻し手段および前記押付け部材の動作を制御する制御手段と、
を有することを特徴とする搬送装置。
【請求項２】
シートを搬送上流へ巻戻すための巻戻し手段と、
シートをデカールローラに対しカールの逆方向から押付け可能であり押付け位置と押付け解除位置に移動可能な押付け部材を有するカール矯正機構と、
前記押付け部材の移動を規制する規制状態と前記押付け部材の移動規制を解放する解放状態との間で切換え可能な保持手段と、
前記押付け部材を押付け位置から押付け解除位置へ移動させるとき、前記巻戻し手段によるシートの巻戻しの開始タイミングが前記保持手段を前記規制状態から前記解放状態への切換える切換えタイミングと同時もしくはそれより早くなるように制御する制御手段と、
を有することを特徴とするシート搬送装置。
【請求項３】
前記巻戻し手段は、シートを巻戻すときにはシートの張力が所定値以上になると巻戻しを阻止し、シートを給送するときにはシートの張力が所定値以上になると空転する機構を備えることを特徴とする請求項１または２に記載のシート搬送装置。
【請求項４】
前記シートがロールシートから解き出された連続シートであることを特徴とする請求項１ないし３のいずれか１項に記載のシート搬送装置。
【請求項５】
請求項１ないし４のいずれか１項に記載のシート搬送装置を備え、シートに画像を形成することを特徴とする画像形成装置。
【請求項６】
インクジェット方式により画像形成を行うことを特徴とする請求項５に記載の画像形成装置。
【発明の詳細な説明】
【技術分野】
【０００１】
本発明はシートのカールを矯正する機構を備えたシート搬送装置および画像形成装置に関する。
【背景技術】
【０００２】
プリンタ、複写機、ファクシミリ等の画像形成装置においては、シートにカール癖がついていると、記録画像の品質を下げるだけでなく、装置内部の構成部材にシートの端部が引っ掛かって紙詰まりを生じるなどの不具合の原因となる。かかる不具合は、特に、スプールに巻回されたロールシートを使用する場合に発生しやすい。
【０００３】
図９は従来の画像形成装置のカール矯正機構をの側面図である。スプール２０１に巻回されたロールシート２０２ａから解き出されたシート２０２は、カール矯正機構２１０を通して搬送された後、記録ヘッド２２０とプラテンローラ２２１との間に給送される。カール矯正機構２１０は、押さえローラ２１１とターンローラ２１２とデカールローラ２１３とで構成されている。押さえローラ２１１はロールシート２０２ａが転がり出さないようにシート２０２を押さえるローラである。カール矯正は、デカールローラ２１３によってシート２０２をターンローラ２１２の周面上にカールと反対方向に巻付けることにより行われる。
【０００４】
カール矯正を解除するときは、破線で示すようにデカールローラ２１３と押さえローラ２１１を上方へ移動させ、デカールローラ２１３をターンローラ２１２に圧接してシート２０２を挟持する。次いで、ターンローラ２１２を逆転させてシート２０２の湾曲部分を逆搬送ストリップことにより解除動作を終了する。このため、カール矯正後の待機状態ではシート２０２が湾曲して保持されることがなく、湾曲部分での待機カールの発生を防止することができる。このようなカール矯正機構は、特許文献１に開示されている。
【特許文献１】特開平０７−２７７５６６号公報
【発明の開示】
【発明が解決しようとする課題】
【０００５】
しかしながら、従来技術では、待機状態のシート２０２は、自然な形ではあるがたるみを生じているため、待機カールを除去することはできない。シート２０２をたるんだ状態のまま搬送すると、たるんだ部分が装置内の余計な部分に接触するなどして、シートを傷を付けたり、搬送の際にシワが発生しやすいなどの課題があった。また、シート２０２の搬送では、たるんだ部分の搬送の後にロールシート２０２ａが回動してシートが解き出されることがあり、そのときの搬送抵抗の急激な変化によってプラテンローラ２２１による搬送が不安定となり、画像品位が低下するという課題もあった。さらに、ロールシート２０２ａとプラテンローラ２２１との間でシート２０２にたるみがあると、ロールシート２０２ａに緩みが生じるという不都合もあった。通常ではシート２０２に所定の張力（バックテンション）を付与した状態で搬送することで斜行を防いでいるが、ロールシート２０２ａの巻きが緩むとシート２０２に斜行が生じやすくなる。
【０００６】
本発明はこのような技術的課題に鑑みてなされたものである。本発明の目的は、シートにたるみを生じさせることなくカール矯正動作を解除することができ、待機カールの発生やシートの巻き緩みを無くすことができるシート搬送装置および画像形成装置を提供することである。
【課題を解決するための手段】
【０００７】
本発明は、シートを搬送上流へ巻戻すための巻戻し手段と、シートをデカールローラに対しカールの逆方向から押付け可能であり押付け位置と押付け解除位置に移動可能な押付け部材を有するカール矯正機構と、を備えたシート搬送装置であって、前記押付け部材を押付け位置から押付け解除位置へ移動させるとき、前記巻戻し手段によるシートの巻戻し開始タイミングが前記押付け部材の移動開始タイミングと同じもしくはそれより早くなり、前記巻戻し手段による巻戻し速度が前記押付け部材の移動によるシートの搬送路長の減少速度と同じもしくはそれより速くなるように、前記巻戻し手段および前記押付け部材の動作を制御することを特徴とする。
【０００８】
また、本発明は、シートを搬送上流へ巻戻すための巻戻し手段と、シートをデカールローラに対しカールの逆方向から押付け可能であり押付け位置と押付け解除位置に移動可能な押付け部材を有するカール矯正機構と、備えたシート搬送装置であって、前記押付け部材の移動を規制する規制状態と前記押付け部材の移動規制を解放する解放状態との間で切換え可能な保持手段を備え、前記押付け部材を押付け位置から押付け解除位置へ移動させるとき、前記巻戻し手段によるシートの巻戻しの開始タイミングが前記保持手段を前記規制状態から前記解放状態への切換える切換えタイミングと同時もしくはそれより早くなるように制御することを特徴とする。
【発明の効果】
【０００９】
本発明によれば、シートにたるみを生じさせることなくカール矯正動作を解除することができ、待機カールの発生やシートの巻き緩みを無くすことができるカール矯正手段を備えたシート搬送装置および画像形成装置が提供される。
【発明を実施するための最良の形態】
【００１０】
以下、図面を参照して本発明の実施形態を具体的に説明する。なお、各図面を通して同一符号は同一または対応部分を示すものである。
〔第１の実施形態〕
図１は本発明を適用したシート搬送装置を備えた画像形成装置の縦断面図である。画像形成装置１００は画像情報に基づいて記録ヘッド２によりシート１０に画像を記録する装置であり、インクジェット方式の記録ヘッド２からインクを吐出して記録を行う。また、画像形成装置１００はシート搬送装置５０を備えており、シート搬送装置５０から記録部５へ給送されたシート１０に対して記録が行われる。画像形成装置１００には、ＣＰＵ、メモリおよびＩ／Ｏ回路等を備えたコントローラからなる制御手段９９が設けられている。制御手段は、内部メモリに予め格納された制御プログラムに従い、画像形成装置からの指令信号に基づいて駆動モータ等による動作を制御する。これにより、画像情報に基づいて記録ヘッドを制御してシートに画像を形成する記録動作とともに、シート搬送装置５０など、その他の装置全体の制御を司る。
【００１１】
シート搬送装置５０は、スプール１６に巻回されたロールシート１５と、ロールシート１５から解き出されたシート１０を給紙するローラ対２０と、給紙されたシート１０をカール矯正しながら搬送するカール矯正機構３０とを備えている。ローラ対２０は、ロールシート１５を解き出すとともに、解き出したシート１０をカール矯正機構３０へ送り込む。カール矯正機構３０は、送り込まれたシート１０を、カール癖を矯正しながら搬送し、Ｕターンガイド１１を通して記録部５へ給送する。シート１０が記録部５へ給送されると、まず、シート１０の先端を停止しているＬＦローラ６とピンチローラ６ａのニップに突き当てて先端部を湾曲させることにより先端揃えが行われる。
【００１２】
次いで、ＬＦローラ６を回転させることにより、プラテン７上の記録開始位置までシート１０を搬送する。プラテン７の上部にはガイドシャフト４に沿って往復移動可能なキャリッジ３が配されており、記録ヘッド２はキャリッジ３に搭載されている。記録ヘッド２とプラテン７上のシート１０との間には、吐出インクを飛翔させるために一定の隙間が確保されている。そして、キャリッジ３の移動に同期して記録ヘッド２からインクを吐出することによりシート１０に画像を形成する。記録ヘッド２の往動または復動による１ライン分の画像形成とＬＦローラ６による所定ピッチの搬送とを交互に繰り返すことによりページ全体の記録が行われる。記録されたシート１０は、排出ガイド８の外部へ向けて搬送される。画像記録が終了すると、シート１０は所定の切断位置まで搬送され、切断動作の信号によりカッタユニット９によって切断される。切り離されたシートはスタッカ等に収容され、残されたシートは記録開始位置まで巻き戻されて次の記録を待機する。
【００１３】
図２はカール矯正が解除されたときのシート搬送装置の縦断面図である。図３はカール矯正が動作しているときのシート搬送装置の縦断面図である。図４はシート搬送装置の駆動系の斜視図である。図５はカール矯正中のシートの状態を示す縦断面図である。シート搬送装置５０についてさらに説明する。ロールシート１５はスプール１６に巻回されており、スプール１６の両端は装置本体に設けられたスプールホルダ１７に回転可能に支持されている。スプール１６の一端部にはスプールギア１８が固定されている。モータ２６によりギア列１９を介してスプールギア１８を回転させることにより、シート１０をを所定の速度Ｖｒで巻戻すことができる。モータ２６およびギア列１９等により、シート１０を搬送上流へ巻戻すための巻戻し手段が構成されている。巻戻し手段のギア列１９には、ロールシート１５の回転負荷が所定値を越えると駆動を伝達せずに空転するトルクリミッタ２７が配されている。このトルクリミッタ２７は、シート１０を巻戻すときにはシートの張力が所定値以上になると巻戻しを阻止し、シート１０を給送するときにはシートの張力が所定値以上になると空転する負荷制限手段を構成している。
【００１４】
ローラ対２０は搬送ローラ２１と搬送コロ２２で構成されており、搬送コロ２２を搬送ローラ２１に圧接した状態で搬送ローラ２１を駆動することによりロールシート１５から解き出されるシート１０をカール矯正機構３０へ搬送する。上ガイド２３および下ガイド２４はシート１０をローラ対２０に案内するためのガイド部材である。搬送コロ２２は下ガイド２４に軸支されており、下ガイド２４はシート１０の幅方向両端部を回動可能なガイドアーム２５に固定されている。ガイドアーム２５は、軸６３を中心に回動可能に支持されるとともに、不図示のばねにより搬送コロ２２を搬送ローラ２１に圧接する方向に付勢されている。ガイドアーム２５は不図示のカムに当接しており、このカムの回転でばねに抗して揺動することで搬送コロ２２を搬送ローラ２１から離間させることができる（図３）。ローラ対２０は、そのニップでシート１０を搬送し、シート１０の先端が後述するデカールローラ３３に到達したときにカムの回転により搬送コロ２２を搬送ローラ２１から離間するように動作する。
【００１５】
次に、カール矯正機構３０について説明する。カール矯正機構３０は、搬送ローラ６４とデカールローラ３３と支持ローラ３１とを備えている。デカールローラ３３は搬送ローラ６４に圧接されて従動回転する。また、デカールローラ３３はシート１０のカールの凸面を押圧することでカールを矯正する。支持ローラ３１は、デカールローラ３３の搬送上流側で移動可能に配されており、シート１０をデカールローラ３３に対しカールの逆方向から押付け可能であり、押付け位置（図３）と押付け解除位置（図２）に移動可能な押付け部材を構成している。押付け位置ではシート１０のカール矯正が行われ、押付け解除位置カール矯正が解除される。また、支持ローラ３１は、押付け位置を変更することでデカールローラ３３に対するシート１０の巻付け角度を変更することができ、この巻付け角度の変更によってカール矯正の度合いを変更することができる。
【００１６】
支持ローラ３１は、その両端部で支持アーム３２に回転自在に軸支されている。支持アーム３２は軸６５を中心に揺動可能に支持されている。支持アーム３２に形成されたギア部３２ａは伝動ギア３８と噛み合っており、モータ４０によりギア列３９を介して伝動ギア３８を回転させることにより支持アーム３２が揺動する。この支持アーム３２の揺動に連動して、シート１０をデカールローラ３３に押付けるための押付け部材である支持ローラ３１を、押付け位置と押付け解除位置との間で移動させることができる。すなわち、支持アーム３２の揺動位置を制御することにより、支持ローラ３１をシート１０の搬送路に対し進入、退避させることができ、さらに進入量を制御することによりデカールローラ３３に対するシート１０の巻付け角度を調整することができる。この巻付け角度の調整により、カール矯正の度合いを調整することができる。支持ローラ３１が搬送路から退避した位置はカール矯正動作を解除したホームポジションであり、この位置は図２に示すようにアームセンサ４１がオンになることで検知される。
【００１７】
カール矯正機構３０には、シート１０の搬送を案内するガイド部材として、支持上ガイド３４および支持下ガイド３５とデカール上ガイド３６およびデカール下ガイド３７が設けられている。デカール下ガイド３７は、支持アーム３２が当接することにより連動して揺動可能であり、これにより支持ローラ３１が搬送路に進入してきたときのデカール下ガイド３７との干渉を回避している。
【００１８】
押付け部材である支持ローラ３１が搬送路外の押付け解除位置（カール矯正解除位置）にあるときは（図５の破線）、ローラ対２０とデカールローラ３３との間のシート１０の搬送路長は、ローラ対２０とデカールローラ３３との距離Ｌに等しい。ここで、支持ローラ３１の移動速度Ｖs を、支持ローラ３１がシート１０を屈曲することで変化するシート１０の搬送路長の時間当たりの変化量と定義する。つまり、支持ローラ３１が搬送路内に位置するときは、ローラ対２０とデカールローラ３３との間の屈曲したシート１０の搬送路長Ｌ´は、屈曲に要する長さΔＬの分増加するので、Ｌ´＝Ｌ＋ΔＬとなる。そして、ΔＬの時間ｔ当たりの変化量（ΔＬ／ｔ）が支持ローラ３１の移動速度Ｖs となる。従って、シート１０の巻戻し速度Ｖｒを支持ローラ３１の移動速度Ｖｓと同じもしくはそれより大きくすることにより、シート１０に所定の張力を付与し、たるみの無い状態にすることができる。
【００１９】
本実施形態では、カール矯正機構３０によるカール矯正を解除するとき、モータ２６およびギア列１９等からなる巻戻し手段によってシート１０を巻戻す動作が行われる。そして、支持ローラ３１をカール矯正位置（押付け位置）からカール矯正解除位置（押付け解除位置）へ移動させるとき、巻戻し手段および支持ローラ３１の動作を次のように制御する。まず、支持ローラ３１を押付け位置（図３）から押付け解除位置（図２）へ移動させるとき、巻戻し手段によるシート１０の巻戻し開始タイミングが支持ローラ３１の移動開始タイミングと同じもしくはそれそり早くなるように制御する。同時に、巻戻し手段によるシート１０の巻戻し速度Ｖｒが支持ローラ３１の移動によるシートの搬送路長の減少速度Ｖｓと同じもしくはそれより速くなるように制御する。
【００２０】
図６は第１の実施形態に係るカール矯正解除の動作のフローチャートである。カール矯正機構３０によりシート１０をカール矯正しながら搬送している状態で画像形成装置の制御部からカール矯正解除の指令があると（ステップＳ１１）、巻戻しモータ２６をオンにしてシート１０をロールシート１５へ巻戻す動作を開始する（ステップＳ１２）。この巻戻し開始と同時に支持モータ４０をオンにして支持ローラ３１をシート１０から離間する方向に移動させる動作を開始する（ステップＳ１３）。なお、支持モータ４０の駆動開始のタイミングは、巻戻しモータ２６の駆動開始のタイミングより若干遅らせても良い。そして、アームセンサ４１により支持アーム３２を検知すると（ステップＳ１４）、支持モータ４０を停止させ（ステップＳ１５）、次いで巻戻しモータ２６を停止させ（ステップＳ１６）、カール矯正解除の動作を終了する（ステップＳ１７）。
【００２１】
本実施形態によれば、シート１０の巻戻し速度Ｖr は支持ローラ３１の移動速度Ｖs より大きくなるように制御される。また、カール矯正状態にある支持ローラ３１をシート１０から離れる方向へ移動させる移動動作の開始タイミングと、巻戻し手段のモータ２６によりシート１０を巻戻しする動作の開始タイミングが同時になるか、巻戻しの開始タイミングが若干早くなるように制御される。このようにカール矯正解除の動作を制御することにより、シート１０に張力を付与した状態でカール矯正を解除するとともに解除後でもシート１０の張力が維持されることになる。従って、シート１０にたるみを生じさせることなくカール矯正動作を解除することができ、待機カールの発生やシートの巻き緩みを無くすことができる。
【００２２】
また、図示の構成によれば、シート１０をカール矯正するときは、ローラ対２０とデカールローラ３３の間で搬送されるシートに支持ローラ３１を押付け、シートをカール癖と逆方向に屈曲させながら搬送するので、カールを効果的に矯正することができる。また、カール矯正を解除するとき、デカール下ガイド３７が支持ローラ３１の移動と連動して退避方向へ移動するので、支持ローラ３１もしくはシート１０がデカール下ガイド３７と干渉することはない。また、巻戻し手段の駆動系に負荷制限手段としてのトルクリミッタ２７を配するので、搬送ローラ６４とデカールローラ３３の間のシート１０に常に適度の張力（バックテンション）を付与することができる。これにより、常にシート１０を正逆いずれの方向にも安定した状態で搬送することができる。そして、モータ２６を駆動していないときにも、ギア列１９の減速比により、ロールシート１５を所定の回転位置に安定して保持することができる。
【００２３】
〔第２の実施形態〕
図７は第２の実施形態に係るシート搬送装置の駆動系の斜視図である。本実施形態では、支持モータ４０により支持アーム３２を駆動するためのギア列３９に電磁クラッチ４２を配し、電磁クラッチ４２のＯＮ、ＯＦＦを切換えることによりモータ４０からの駆動を選択的に伝達できるように構成されている。本実施形態は、この点で第１の実施形態と構成が相違するが、その他の点では第１の実施形態と同様の構成を有している。
【００２４】
本実施形態では、電磁クラッチ４２をＯＮにすると支持モータ４０の駆動が支持アーム３２に伝達され、支持アーム３２の回動量に対応する距離だけ支持ローラ３１を移動させることができる。一方、電磁クラッチ４２をオフにすると、支持アーム３２の保持力が解除され、支持ローラ３１の移動が自由になる。このような電磁クラッチ４２によって、支持ローラ３１の移動を規制する規制状態と支持ローラ３１の移動規制を解放する解放状態との間で切換え可能な保持手段が構成されている。
【００２５】
支持ローラ３１は、シート１０をデカールローラ３３に対しカールの逆方向から押付け可能な押付け位置（図３）と押付け解除位置（図２）に移動可能な押付け部材を構成している。支持ローラ３１をカール矯正状態にするときは、モータ４０および電磁クラッチ４２をＯＮにして支持ローラ３１を搬送路内の押付け位置へ移動させる。支持ローラ３１が所定のカール矯正を行う押付け位置に到達した時点でモータ４０を停止し、電磁クラッチ４２のみをＯＮの状態にしておく。これにより、ギア列３９の減速比の負荷抵抗により支持ローラ３１は所定のカール矯正位置に保持される。
【００２６】
第１の実施形態と同様、巻戻しモータ２６およびギア列１９により、シート１０を搬送上流へ巻戻すための巻戻し手段が構成されている。支持ローラ３１を押付け位置から押付け解除位置へ移動させるとき、巻戻し手段（モータ２６）によりシート１０を巻戻す動作が行われる。シート１０を巻戻すとき、負荷制限手段であるトルクリミッタ２７によりシート１０には所定の張力が付与されており、この張力によって支持ローラ３１を押付け解除位置へ移動させることになる。そして、支持ローラ３１を押付け位置から押付け解除位置へ移動させるとき、巻戻し手段によるシート１０の巻戻し動作の開始タイミングが上記保持手段を規制状態から解放状態へ切換える切換えタイミングと同時もしくはそれより早くなるに制御される。
【００２７】
図８は第２の実施形態に係るカール矯正解除の動作のフローチャートである。カール矯正機構３０によりカール矯正を行っている状態で、画像形成装置の制御部からカール矯正解除の指令があると（ステップＳ２１）、巻戻し手段によるシート１０の巻戻しを開始する（ステップＳ２２）。この巻戻し開始のタイミングと同じタイミングもしくは若干遅いタイミングで電磁クラッチ４２をＯＦＦにする（ステップＳ２３）。このとき、シート１０は所定の張力を付与された状態で巻戻されるので、支持ローラ３１はシート１０の張力によってカール矯正動作を解除する方向へ移動させられる。そして、支持アーム検知センサ４１により支持アーム３２を検知したところで（ステップＳ２４）、巻戻しモータ２６を停止させ（ステップＳ２５）、カール矯正解除の動作を終了する（ステップＳ２６）。
【００２８】
このようにカール矯正解除の動作を制御することにより、シート１０に張力を付与した状態でカール矯正を解除するとともに解除後でもシート１０の張力を維持することができる。従って、シート１０にたるみを生じさせることなくカール矯正動作を解除することができ、待機カールの発生やシートの巻き緩みを無くすことができる。また、本実施形態では、巻戻し時のシート１０の張力によって支持ローラ３１をカール矯正を解除する方向へ移動させるので、カール矯正解除のために支持モータ４０をＯＮにする必要はない。
【００２９】
なお、以上の各実施形態では、ロールシートから巻き解いた連続シートのカールを矯正する場合を説明したが、本発明は、一定寸法に裁断されたカットシートなど他の形態のシートのカールを矯正する場合にも同様に適用可能である。また、以上の各実施形態では、記録ヘッド２を往復移動させて記録を行うシリアル画像形成装置を例に挙げたが、本発明は、紙送りのみで１ラインずつ一括して記録を行うラインタイプの画像形成装置など、他の記録方式の場合にも同様に適用可能である。また、シートの材質も、紙、プラスチックシート、写真調印画紙、布など、記録可能な種々のものを使用することができる。
【図面の簡単な説明】
【００３０】
【図１】本発明を適用したシート搬送装置を備えた画像形成装置の縦断面図である。
【図２】カール矯正が解除されたときのシート搬送装置の縦断面図である。
【図３】カール矯正が動作しているときのシート搬送装置の縦断面図である。
【図４】シート搬送装置の駆動系の斜視図である。
【図５】カール矯正中のシートの状態を示す縦断面図である。
【図６】第１の実施形態に係るカール矯正解除の動作のフローチャートである。
【図７】第２の実施形態に係るシート搬送装置の駆動系の斜視図である。
【図８】第２の実施形態に係るカール矯正解除の動作のフローチャートである。
【図９】従来の画像形成装置のカール矯正機構をの側面図である。
【符号の説明】
【００３１】
２        記録ヘッド
５        記録部
６        ＬＦローラ
１０      シート
１５      ロールシート
２０      ローラ対
２６      巻戻し手段（巻戻しモータ）
２７      負荷制限手段（トルクリミッタ）
３０      カール矯正機構
３１      押付け部材（支持ローラ）
３３      デカールローラ
４０      支持モータ
４２      保持手段（電磁クラッチ）
５０      シート搬送装置
６４      搬送ローラ
９９      制御手段
１００    画像形成装置
【図１】
2010100406.tif 000003
【図２】
2010100406.tif 000004
【図３】
2010100406.tif 000005
【図４】
2010100406.tif 000006
【図５】
2010100406.tif 000007
【図６】
2010100406.tif 000008
【図７】
2010100406.tif 000009
【図８】
2010100406.tif 000010
【図９】
2010100406.tif 000011